(57)【要約】【課題】時計設定していないときはマイコンを含む周辺回路の電源をＯＦＦして省電力モードを実行し、時計設定しているときはマイコンの電源はＯＮのままで、電源クロック生成回路の電源をＯＦＦし、マイコンをＳＬＯＷモードに移行することで、省電力モードを実現する。【解決手段】加熱手段１と、主制御回路２と、マイコン３と、電源クロック生成回路４と、第２電源制御部５と、第２電源６と、第１電源制御部８と、第１電源１０と、表示手段９とを備え、ユーザーが調理器を未使用である状態での放置時間を計測する未使用タイマー時間が０になったときに、ユーザーが時計設定を行っていた場合は、第１電源１０と第２電源６の供給をＯＦＦし、時計設定を行っていない場合は、第２電源６の供給をＯＦＦし、マイコン３の命令でＳＬＯＷモードを実行する。【選択図】図１
2009198013.tif 000002
【特許請求の範囲】
【請求項１】
被加熱物を収容する加熱室と、前記加熱室に設けられた開閉ドアと、前記加熱室内の被加熱物を加熱する加熱手段と、前記加熱手段を制御する主制御回路と、前記主制御回路を制御するマイコンと、前記マイコンで計時される時計機能と、時計機能で計時される時間を表示する表示手段と、前記マイコンを動作させるための電源クロック生成回路と、前記マイコン及び時計機能とその表示手段用の第１電源と、前記電源クロック生成回路用の第２電源と、前記第２電源の前記電源クロック生成回路への供給を制御する第２電源制御部とを備え、前記マイコンは前記時計機能が設定されていることを検出すると、前記時計機能とその表示手段を前記第１電源により常時通電状態とするとともに、前記第２電源制御部は前記開閉ドアの開閉操作により前記電源クロック生成回路への電力供給を行い、所定時間の間動作が遷移しない場合は、前記電源クロック生成回路への電力の供給を停止し、前記マイコンは前記時計機能が設定されていないことを検出すると、第１電源制御部および前記第２電源制御部は前記ドア開閉後の所定時間の間動作が遷移しない場合は前記第１、第２電源による電源供給を停止させることを特徴とする加熱調理器。
【請求項２】
前記電源クロック生成回路が、前記マイコンが同期を取るための電源クロックを供給することを特徴とした請求項１記載の加熱調理器。
【請求項３】
前記マイコンが、前記開閉ドアの開閉操作後所定時間の間動作が遷移しない場合は、ＳＬＯＷモードに移行することを特徴とした請求項１または２に記載の加熱調理器。
【請求項４】
前記表示手段が、表示部とバックライトＬＥＤを備え、前記電源クロック生成回路への電力の供給を停止すると前記バックライトＬＥＤの輝度を変更することにより、省電力モードへ移行したことを知らせることを特徴とした請求項１〜３のいずれか１項に記載の加熱調理器。
【発明の詳細な説明】
【技術分野】
【０００１】
本発明は、マイクロコンピュータを用いた加熱調理器に関するものである。
【背景技術】
【０００２】
マイクロコンピュータ（以下、マイコンと省略する）を備えた制御回路で制御される高周波加熱装置は、従来装置では加熱調理を行っていない時でも、キー入力の検出や時計動作等のために、常に制御回路に電力が供給されていた。しかし一日の使用時間が大変短い装置にあってその制御回路に常に電力を供給し続けるのは、たとえ消費される電力が１Ｗといった小さいものであっても、長い時間に亘れば膨大なエネルギーロスとなった。
【０００３】
そこで最近、電子レンジ等の家電機器において待機電力を少なくしようという要求が出てきている。そのための具体的な回路として、商用電源とその電源回路との間にドアスイッチを介設して、ドアの開成でドアスイッチがＯＮ動作し、ドアの閉成でＯＦＦ動作し自己保持する高周波加熱装置がある（例えば、特許文献１参照）。
【０００４】
特許文献１記載の高周波加熱装置は、ドアが閉まっているときは、負荷を商用電源に接続し、制御回路への電力の供給は遮断しているが、ドアを開けると負荷と商用電源の接続を切り離し、制御回路へ電力を供給し、制御回路へ電力を供給すると制御回路の動作に必要な直流電流が作られるというものである。
【０００５】
そこで、食品を加熱室に入れるためにドアを開けると、制御回路の電源回路に電力が供給され、マイコンは一定のタイマー時間を設定する。そしてドアが閉められた後タイマー時間の減算を開始し、その間にキー入力信号またはドアスイッチ回路からのドア開閉信号が入力されない場合、残り時間がゼロになった時点で制御回路への電力の供給を遮断するようにしている。
【０００６】
なお、残り時間がゼロになる前にキー入力やドアスイッチ回路からの信号が入力されると、タイマー時間は再設定され、制御回路への電力遮断は延期される。このタイマーの時間値については、調理者がキー入力で調理メニューを設定したり、または調理が終了したことを表示回路で確認するのに十分な長さにしてある。
【０００７】
また、調理者が食品を加熱室内に入れてドアを閉め、キー入力をした後で、加熱を開始させた時には、マイコンはタイマー減算状態から調理状態となる。そしてマイコンは調理終了後にタイマーを再設定して減算を始める。
【０００８】
なお、調理プログラムに沿ってドアが開閉されるときには、ドアが開けられてから再び閉められても電子レンジの不使用状態が始まったとは判断しないようにしてあり、あくまでも調理プログラムが完遂された後、ないし調理プログラムが取り消された後の所定のタイマー時間内にドア開閉やキー入力がなかった時にのみ制御回路への電力の供給を遮断するようにしている。そして、制御回路への電力の供給を遮断した後に、ドアが開けられると、制御回路への通電が再開される。
【０００９】
このようにして、調理器として使用されていないときに制御回路への通電が行なわれないようにして無駄な電力を消費しないようにするものである。
【００１０】
しかしながら、この電子レンジでは、ドアを閉じなければ従来通りの電力を消費してしまい、待機電力をＯＦＦするためには、必ずドアを閉じておかねばならないという欠点を
有していた。電子レンジは調理終了後オーブン庫内が非常に熱くなっているため、ドアを開けた状態で冷却する人も多く、場合によってはドアを開けっ放しにしている人もいるのが実状であるが、この場合は全く省電力にはならなかった。
【００１１】
また、調理の設定及び調理中以外は制御回路に通電する必要はないにもかかわらず、ここでは食品を電子レンジの庫内に入れた後のドアが閉じられた時点でもう通電を開始するので、無駄な電力が消費されることとなった。
【００１２】
さらに、制御回路への電力の供給を行うのに、商用電源との間にトランスを介しているので、不使用時であってもトランスの無負荷損（銅損、鉄損）が２５０ｍＷ程度発生し、省エネルギー上問題があった。
【００１３】
この欠点を解決するものとして、ドアの開閉状態に関わらず、非使用時の電力を低減した家電機器が提案された（例えば、特許文献２参照）。
【００１４】
特許文献２記載の高周波加熱装置は、ドアの開成／閉成があったことを微分で検知したら制御回路を自己保持させ、その後、所定時間経過しても新たにドアの開成／閉成がないとき、または入力がないときは、制御回路への電力供給をＯＦＦさせるようにしている。
【００１５】
このようにすれば、ドアの開成及び閉成の如何に関わらず、ドアを操作して初めて電力開閉手段がＯＮし、マイコン及び周辺回路といった制御手段に電力が供給され、所定時間中に動作が遷移しない場合は、ドアの開成及び閉成の如何に関わらず、制御手段への電力の供給をＯＦＦすることができるようになった。
【００１６】
このようにすれば、ドアを開けっ放しにしていてもやがて制御手段への電力の供給がＯＦＦされるので、省エネルギーとなった。
【００１７】
また、時計機能をもたせた高周波加熱装置は、制御回路を構成するマイコンにより時間を計測するため、常に制御回路に電力を供給する必要があるので、上記特許文献１および２記載のものは、時計機能をもっていなかったが、時計機能を必要とする使用者への配慮から、待機電力を少なくする節電モードと、制御回路への電力供給を継続して、時計表示を行う通常モードとの切り替えをできる高周波加熱装置が提案された（例えば、特許文献３参照）。
【００１８】
さらに、時計表示を行う通常モード時にタイマー機能等に特化した補助制御回路を設け、それ以外のマイコンを含む制御回路への電源供給をオフすることにより、待機状態の消費電力を極力抑えることができるようになり、例えば従来の待機電力を低減した機能付の高周波加熱装置と同等の待機時の消費電力（５０ｍＷ以下）でタイマー予約機能（時計機能）を実現することができる（例えば、特許文献４参照）。
【特許文献１】特開平７−２１７９０６号公報
【特許文献２】特開２００２−２２１８１号公報
【特許文献３】特開平１１−５５８５３号公報
【特許文献４】特開２００６−１１２６９２号公報
【発明の開示】
【発明が解決しようとする課題】
【００１９】
しかしながら、前記従来の構成では、補助制御回路を追加しなければならないため、コストアップしてしまうという課題を有していた。また、時計表示を行う通常モードでも待機状態でマイコンの電源供給をＯＦＦするため、その間、時計表示されないという課題を有していた。
【００２０】
本発明は、前記従来の課題を解決するもので、マイコンを含む制御回路への電源供給をＯＦＦする代わりに、マイコンの電源供給をＯＮしたままで、特に消費電力の大きい電源クロック生成回路の電源供給をＯＦＦすることとマイコンをＳＬＯＷモードに移行することで待機状態の消費電力を極力抑えることができる構成とした加熱調理器を提供することを目的とする。
【課題を解決するための手段】
【００２１】
前記従来の課題を解決するために、本発明の加熱調理器は、被加熱物を収容する加熱室と、前記加熱室に設けられた開閉ドアと、前記加熱室内の被加熱物を加熱する加熱手段と、前記加熱手段を制御する主制御回路と、前記主制御回路を制御するマイコンと、前記マイコンで計時される時計機能と、時計機能で計時される時間を表示する表示手段と、前記マイコンを動作させるための電源クロック生成回路と、前記マイコン及び時計機能とその表示手段用の第１電源と、前記電源クロック生成回路用の第２電源と、前記第２電源の前記電源クロック生成回路への供給を制御する第２電源制御部とを備え、前記マイコンは前記時計機能が設定されていることを検出すると、前記時計機能とその表示手段を前記第１電源により常時通電状態とするとともに、前記第２電源制御部は前記開閉ドアの開閉操作により前記電源クロック生成回路への電力供給を行い、所定時間の間動作が遷移しない場合は、前記電源クロック生成回路への電力の供給を停止し、前記マイコンは前記時計機能が設定されていないことを検出すると、第１電源制御部および前記第２電源制御部は前記ドア開閉後の所定時間の間動作が遷移しない場合は前記第１、第２電源による電源供給を停止させるようにしたものである。
【発明の効果】
【００２２】
本発明の加熱調理器は、初期状態で時計表示されているときに、ユーザーが未使用状態で放置した場合に、タイマー機能等に特化した補助制御回路を設け、マイコンを含む制御回路への電源供給をＯＦＦする代わりに、マイコンの電源供給をＯＮしたままで、特に消費電力の大きい電源クロック生成回路の電源供給をＯＦＦすることとマイコンをＳＬＯＷモードに移行することで、待機状態の消費電力を極力抑えることができ、補助制御回路を設けない分コストダウンを図ることができる。
【発明を実施するための最良の形態】
【００２３】
前記従来の課題を解決するために、第１の発明は、被加熱物を収容する加熱室と、前記加熱室に設けられた開閉ドアと、前記加熱室内の被加熱物を加熱する加熱手段と、前記加熱手段を制御する主制御回路と、前記主制御回路を制御するマイコンと、前記マイコンで計時される時計機能と、時計機能で計時される時間を表示する表示手段と、前記マイコンを動作させるための電源クロック生成回路と、前記マイコン及び時計機能とその表示手段用の第１電源と、前記電源クロック生成回路用の第２電源と、前記第２電源の前記電源クロック生成回路への供給を制御する第２電源制御部とを備え、前記マイコンは前記時計機能が設定されていることを検出すると、前記時計機能とその表示手段を前記第１電源により常時通電状態とするとともに、前記第２電源制御部は前記開閉ドアの開閉操作により前記電源クロック生成回路への電力供給を行い、所定時間の間動作が遷移しない場合は、前記電源クロック生成回路への電力の供給を停止し、前記マイコンは前記時計機能が設定されていないことを検出すると、第１電源制御部および前記第２電源制御部は前記ドア開閉後の所定時間の間動作が遷移しない場合は前記第１、第２電源による電源供給を停止させるようにしたものである。
【００２４】
これによって、時計設定を行っている状態で待機状態に移行した場合でも時計表示を行うことができ、コストアップなしで待機状態の消費電力を極力抑えることができる。
【００２５】
第２の発明は、前記電源クロック生成回路が、前記マイコンが同期を取るための電源クロックを供給するようにしたものである。
【００２６】
これによって、マイコンは２ＣＰＵ構成にした場合でも同じタイミングを計ることが容易となると同時に、ソフトウェアのメインルーチンのプロセスが動き出すタイミングを電源クロック立下りにすることにより、時計の時間をカウントするためのタイマーをカウントすることが容易になる。
【００２７】
第３の発明は、前記マイコンが、前記開閉ドアの開閉操作後所定時間の間動作が遷移しない場合は、ＳＬＯＷモードに移行するようにしたものである。
【００２８】
これによって、時計表示した状態でマイコンの電源供給をＯＦＦせずに、電源クロック生成回路の電源供給をＯＦＦすることによる待機状態の消費電力低減よりもさらに消費電力を低減することができる。
【００２９】
第４の発明は、前記表示手段が、表示部とバックライトＬＥＤを備え、前記電源クロック生成回路への電力の供給を停止すると前記バックライトＬＥＤの輝度を変更することにより、省電力モードへ移行したことを知らせるものである。
【００３０】
これによって、時計設定なしの場合に所定時間動作が遷移しないとき、マイコンの電源がＯＦＦし、ドア開でマイコンの電源をＯＮしない限りキーを受け付けないので、時計設定ありの場合に所定時間動作が遷移しないとき、時計を表示およびカウントするためマイコンの電源はＯＦＦせずに、省電力モードに移行する。
【００３１】
このとき時計設定なしの場合の仕様に合わせて、ドア開で省電力モードから復帰しない限りキーを受け付けないので、その状態をユーザーに知らせることができ、キーを受け付けないモードであることを知ることが出来る。
【００３２】
以下、本発明の実施の形態について、図面を参照しながら説明する。なお、この実施の形態によって本発明が限定されるものではない。
【００３３】
（実施の形態１）
図１は、本発明に係る第１の実施の形態における加熱調理器のブロック図である。
【００３４】
図１において、マイコン３は主制御回路２を用いて加熱手段１を制御し、入力手段７の情報により時計設定を含むユーザーの使用／未使用を判断し、第２電源制御部５を制御することにより、第２電源６から電源クロック生成回路４に供給される電源がＯＮ/ＯＦＦされる構成になっている。
【００３５】
以上のように構成された加熱調理器について、以下にその動作、作用を説明する。
【００３６】
まず、入力手段７からの設定より時計が解除されている場合は、時計を計時する必要がなく時刻を表示する必要もないため、入力手段７またはドア閉／閉などの入力信号が所定の時間ない場合に、マイコン３を含む全ての電源をＯＦＦさせる。
【００３７】
時計が設定されている場合は、時計の計時および時刻を表示する必要があるため、入力手段７またはドア閉／閉などの入力信号が所定の時間ない場合に、マイコン３と表示手段９は電源ＯＦＦさせずに電源クロック生成回路４の電源をＯＦＦさせる。
【００３８】
さらにマイコン３をＳＬＯＷモードに入れることにより通常時より省電力とする。この
ときバックライトＬＥＤ（図示せず）をデューティ駆動することにより液晶の表示を通常より暗くし、ユーザーに省電力モードに移行したことを知らせる。
【００３９】
どちらの状態でも通常のキー操作は受け付けず、時計が解除されているときのマイコン３のＯＦＦ時と、時計が設定されているときの省電力モード時からの復帰はどちらもドア閉／開により行われ、時計が解除されているときはマイコン３がＯＮし、時計が設定されているときはマイコン３をNORMALモードに移行するとともに液晶の表示の輝度を元に戻し、通常操作が可能となる。
【００４０】
次に時計の設定／解除の操作方法について説明する。機器にプラグを入れ、電源を供給した場合には時計設定なしの状態となっている。
【００４１】
そこで待機状態（初期状態）で時計キーを押すと時計の時刻を設定するモードに移行する。その状態でエンコーダまたは時間キーで時刻の変更を行い、現在の時刻に合わせ再び時計キーを押すと時計が設定され、待機状態で時計を表示する。時計設定されている状態で時計設定を解除したい場合は、待機状態（初期状態）で時計キーを押すと時計の時刻を設定するモードに移行する。このときに時計キー２秒押しを行うと時計の設定は解除される。
【００４２】
ここでマイコン３の動作について説明する。マイコン３に電源が供給されていない状態から、機器のプラグインなどの条件でマイコン３に電源が供給された場合に、マイコン３内部のプログラムが実行される。このとき、マイコン３の初期設定で第２電源制御部５にマイコン３から信号をＯＮさせることで、電源クロック生成回路への電力供給を保持し、電源クロックをマイコン３に供給する。
【００４３】
マイコン３は初期設定で所定のタイマー時間（例えば６分）を設定する。マイコン３に供給されている電源クロックは、周期が５０Ｈｚでは２０ｍｓであるのでマイコン３のソフトウェア処理でのメインルーチンを１回通る間隔をこの電源クロックに合わせてスタートさせれば、１回通るごとに２０ｍｓと数えることができる。
【００４４】
メインルーチンを５０回通ったときに１秒なので、これをもとに１秒経過ごとにタイマー時間の減算を開始し、その間に入力手段７からのキーなどによる入力信号が入力されない場合、タイマー時間の残り時間がゼロになった時点でマイコン３からの出力信号をＯＦＦさせる。
【００４５】
また、入力手段７を通じて調理メニューの選択や加熱機能を設定した状態の場合、タイマー時間の残り時間がゼロになってもマイコン３からの出力信号はＯＮのままであり、タイマー時間がゼロになった時点で、マイコン３からの出力信号をＯＦＦさせる。
【００４６】
これにより時計設定されている場合、電源クロック信号が止まってしまうため、割り込み周期でのカウントに切り替える。ソフトウェア処理としてメインルーチン処理と割り込み処理があり、メインルーチン処理中に割り込んで所定の時間ごと（例えば５００μ秒ごと）に処理を行う割り込み処理があるという構成になっているのが普通である。
【００４７】
この割り込む時間を１カウントとして４０回数えれば２０ｍｓとなるため、マイコン３内で使用している時間のカウントを行うことが出来る。
【００４８】
一方、ＳＬＯＷモードはほとんどのマイコン３に搭載されている機能で、高速動作用発信器を停止させ、低速動作用発信器に切り替えることにより低消費電力を可能にさせる。以上のように、本実施例において電源クロック生成回路の電源をＯＦＦさせ、マイコン３
をＳＬＯＷモードに入れることにより時計表示状態で通常時より電力消費を削減することができる。
【００４９】
（実施の形態２）
図２は、本発明に係る第２の実施例の加熱調理器における動作フローチャートである。なお、実施例１と同一符号のものは同一構造を有し、説明は省略する。
【００５０】
まず、マイコン３はステップＳ１にて、初期状態電源ＯＦＦ時間としてタイマーに３６０秒（＝６分）の時間を設定する。
【００５１】
次に、ステップＳ２では、電源から入力されるクロックを元に時間を計測し、１秒経過すればステップＳ３に移行し、タイマーを１秒ずつ減算してからステップＳ４へ移行する。但し、タイマーがすでに０の場合には減算せずそのままステップＳ４に移行する。１秒経過していない場合は、ステップＳ４へ処理を飛ばす。
【００５２】
ステップＳ４でマイコン３は一時記憶メモリであるＲＡＭに記憶された内容から調理中かどうか判断を行い、もし調理中ならステップＳ１に処理を戻す。これにより全てのタイマーを初期化するので調理中に電源ＯＦＦしない。
【００５３】
調理中でないならステップＳ５に移行する。ステップＳ５で入力手段７からキー入力信号があった場合には、ステップＳ６に処理を移行させる。キー入力信号がなければ、ステップＳ７に移行する。
【００５４】
ステップ６では、キー入力内容と現在の状態により新しい状態に変化させる。例えば、初期状態から調理設定キーを押したときには設定状態になる。そしてステップ２に処理を戻す。
【００５５】
ステップＳ７にてマイコン３は、時計設定されているかどうかのＲＡＭを参照し時計設定されていない場合、ステップＳ９に処理を飛ばし、時計設定されている場合、ステップＳ８に移行する。
【００５６】
ステップＳ８では、電源クロック生成回路の電源をＯＦＦさせるため、マイコン３からＯＦＦ信号を出力し、ＯＦＦする。ステップＳ９ではマイコン３の電源をＯＦＦさせるために、マイコン３からの電源保持信号をＯＦＦさせ、電源ＯＦＦする。
【産業上の利用可能性】
【００５７】
以上のように、本発明の加熱調理器は、容易に待機時電力削減が可能となるため、加熱調理器のみならず他の家電機器での応用を図ることもできる。
【図面の簡単な説明】
【００５８】
【図１】本発明の実施の形態１における加熱調理器のブロック構成図
【図２】本発明の実施の形態２における加熱調理器の動作フローチャート
【符号の説明】
【００５９】
１  加熱手段
２  主制御回路
３  マイコン
４  電源クロック生成回路
５  第２電源制御部
６  第２電源
７  入力手段
８  第１電源制御部
９  表示手段
１０  第１電源
【図１】
2009198013.tif 000003
【図２】
2009198013.tif 000004